(57)【特許請求の範囲】
【請求項１】
裏面からアクセス可能なネジ孔を有する座と、前記座の裏面にネジを用いて締着される締結部を有する座支持体と、前記ネジ及び前記締結部を下方から被覆し得るキャップ部材とを備えた椅子であって、
前記座が、座の裏面を形成し所定領域に複数の凹部が集合させて設けられた座シェルを有し、前記ネジ孔を有する少なくとも一の凹部に前記締結部を収容し得るものであり、
前記キャップ部材が、前記複数の凹部をそれぞれ被覆し得る複数の被覆部を一体に有するものであり、これら複数の被覆部のうち前記締結部が収容される凹部を、当該凹部を露出させ得る窓部と、当該窓部を開閉し得る開閉部とを用いて構成しているとともに、このキャップ部材を座に取り付けた状態で、少なくとも前記ネジ孔を有しない前記凹部を被覆する被覆部が座シェルの裏面における周辺部位と略面一となることを特徴とする椅子。
【請求項２】
前記キャップ部材が、樹脂成型品である請求項１記載の椅子。
【請求項３】
前記締結部が金属製のものである請求項１又は２記載の椅子。
【請求項４】
前記開閉部が、ヒンジ部を軸に、前記窓部を開放する開放位置と、前記窓部を閉止し得る閉止位置との間で回動可能なものである請求項１、２又は３記載の椅子。
【請求項５】
前記座支持体が、前記座の裏面に配される金属製のフレーム本体と、当該フレーム本体に溶着によって接合した前記締結部とを備えたものである請求項１、２、３又は４記載の椅子。
【請求項６】
前記キャップ部材が、前記窓部に連続して開口する開口部を備えたものであり、少なくとも前記フレーム本体と前記締結部との接合部分を開口部に配することによって前記開閉部と当該接合部分との干渉を回避している請求項５記載の椅子。
【発明の詳細な説明】
【技術分野】
【０００１】
本発明は、椅子、特に座と座支持体とをネジを用いて相互に固定した椅子に関するものである。
【背景技術】
【０００２】
従来より、座と、当該座を支持する座支持体とをネジを用いて相互に固定した椅子が知られている。具体的には、座の裏面に周辺部位よりも窪ませた凹部を設け、この凹部に、座支持体に設けた例えば舌片状の締結部を収容させた状態で、凹部に設けたネジ孔にネジを締結部とともに締め付けることにより、座支持体を座の裏面に締着させた態様が知られている。そして、ネジや締結部が露出することを防止するために、凹部を被覆するキャップ部材を座の裏面に取り付けるようにしている。
【０００３】
なお、上述したような従来技術は、現場において適宜実施されるものであり、特許文献などとして開示されているものはない。
【発明の開示】
【発明が解決しようとする課題】
【０００４】
ところで、座支持体と座との締着箇所を増加するため、或いは座に種々の機能を付与するために、座の裏面における所定領域に複数の凹部を集合させて設ける態様も考えられる。
【０００５】
このような態様を採用した場合、これら各凹部を共通のキャップ部材で被覆することができれば、各凹部をそれぞれ別々のキャップ部材で被覆する場合と比較して、座にキャップ部材を取り付ける手間を軽減することができる。
【０００６】
一方で、座の裏面に座支持体を締着した後に、各凹部を共通のキャップ部材で被覆する態様とすれば、キャップ部材を、座支持体を迂回する形状としなければならず、単純な略平板状のものとすることができないという不具合が生じる。
【０００７】
他方、キャップ部材を単純な略平板状のものとした場合には、座支持体との干渉を避けるために、座支持体の締結部を凹部に収容する前段階でキャップ部材を座の裏面に取り付ける必要がある。しかしながら、座支持体の締結部を凹部に収容する前段階で単純な平板状のキャップ部材を座の裏面に取り付けた場合には、凹部が全て被覆されるため、締結部を凹部に収容することができず、座と座支持体とを締着することができないという致命的な不具合が生じる。
【０００８】
そこで、単純な平板状のキャップ部材に、一の凹部に収容可能な被収容部を設け、さらにこの被収容部にネジが挿通可能な挿通孔を形成し、この被収容部を凹部に収容した後に、当該凹部に座支持体の締結部を収容し、この状態で締結部側からネジを締め付けることにより座支持体と座とを締着する態様も考えられる。
【０００９】
しかしながら、座の凹部と座支持体の締結部との間にキャップ部材の被収容部が介在する態様となるため、この状態で締め付け作業を行った場合、被収容部が樹脂製のものであればネジの緩みを招来し得るものとなり、強固な締付状態を維持できないという問題が生じる。
【００１０】
本発明は、このような課題に着目してなされたものであって、主たる目的は、座の裏面に集合させて形成した複数の凹部を共通のキャップ部材によって全て被覆することができるとともに、ネジの締め付け作業を好適に行うことができ、さらには締付強度にも悪影響を及ぼすことのない椅子を提供することにある。
【課題を解決するための手段】
【００１１】
すなわち、本発明の椅子は、裏面からアクセス可能なネジ孔を有する座と、前記座の裏面にネジを用いて締着される締結部を有する座支持体と、前記ネジ及び前記締結部を下方から被覆し得るキャップ部材とを備えたものであって、前記座が、座の裏面を形成し所定領域に複数の凹部が集合させて設けられた座シェルを有し、前記ネジ孔を有する少なくとも一の凹部に前記締結部を収容し得るものであり、前記キャップ部材が、前記複数の凹部をそれぞれ被覆し得る複数の被覆部を一体に有するものであり、これら複数の被覆部のうち前記締結部が収容される凹部を、当該凹部を露出させ得る窓部と、当該窓部を開閉し得る開閉部とを用いて構成しているとともに、このキャップ部材を座に取り付けた状態で、少なくとも前記ネジ孔を有しない前記凹部を被覆する被覆部が座シェルの裏面における周辺部位と略面一となることを特徴とする。
【００１２】
このようなものであれば、座の裏面にキャップ部材を取り付けた後、開放された窓部を介して締結部を凹部に収容することができ、この収容状態で、開放された窓部を介してネジ孔にアクセス可能となるため、このネジ孔にネジを螺合することによって締着部を座の裏面に締着することができ、従来の不具合、すなわちネジの締着作業前にキャップ部材を取り付けた場合に、ネジ孔にアクセスすることができず、締着作業そのものができないという不具合を解消することができる。しかも、座の裏面に形成した複数の凹部をキャップ部材の各被覆部によって全て被覆することができ、各凹部をそれぞれ別体のキャップ部材で被覆する態様と比較して、各凹部を被覆する作業の効率が向上する。加えて、締付作業後には開閉部によって窓部を閉止することにより凹部内に存在するネジ及び締結部を好適に被覆することができ、良好な外観を呈するものとなる。
【００１３】
特に、前記キャップ部材が、前記複数の被覆部を一体に有する樹脂成型品であれば、キャップ部材が各被覆部を相互に接続部材を介して接続したものである態様と比較して、各被覆部を相互に接続する手間を省略することができ、また製造時点における部品点数の削減を図ることができ、座に対するキャップ部材の取付作業の簡素化に資する。
【００１４】
また、前記締結部が金属製のものであれば、締結部が樹脂製であれば生じ得る不具合、すなわちネジの締め付け作業によって締結部自体が押し潰されて変形するという不具合を解消し、強固な締着状態を実現できる。
【００１５】
開閉部の開閉動作を直感的に把握できるようにし、開閉作業を簡単に行うことができるようにするには、前記開閉部を、前記窓部との接続部位に設けたヒンジ部を軸に、前記窓部を開放する開放位置と、前記窓部を閉止し得る閉止位置との間で回動可能なものとすればよい。
【００１６】
座支持体の好適な実施態様としては、前記座の裏面に配される金属製のフレーム本体と、当該フレーム本体に溶着によって接合した前記締結部とを備えた態様が挙げられる。このようなものであれば、フレーム本体と締結部との取付強度の向上を図ることができるとともに、フレーム本体と締結部とをビス止めによって取り付ける態様と比較してフレーム本体と締結部との組付作業を容易に行うことができる。
【００１７】
加えて、前記キャップ部材が、前記窓部に連続して開口する開口部を備えたものであり、少なくとも前記フレーム本体と前記締結部との接合部分を開口部に配することによって前記開閉部と当該接合部分との干渉を回避し得るようにすれば、窓部を閉止した開閉部と締結部とが相互に干渉することなく、当該開閉部による良好な被覆状態を実現できる。
【発明の効果】
【００１８】
以上説明したように本発明によれば、座の裏面に集合させて形成した複数の凹部を共通のキャップ部材によって全て被覆することができるとともに、ネジの締め付け作業を好適に行うことができ、さらには締付強度にも悪影響を及ぼすことのない椅子を提供することができる。
【発明を実施するための最良の形態】
【００１９】
以下、本発明の一実施形態を、図面を参照して説明する。
【００２０】
本実施形態に係る椅子１は、図１に示すように、座２と、座２を支持する座支持体３と、左右の肘掛け４と、各肘掛け４の後端部に左右両端部をそれぞれ支持させた背凭れ５とを備えたものである。
【００２１】
座２は、前端部を座支持体３に支持させ、後端部を背凭れ５に吊持させたものである。この座２は、図１及び図２（図２は座２の底面図である）に示すように、座面を形成する座クッション２１と、この座クッション２１の下方に設けられ座２の裏面を形成する座シェル２２と、座シェル２２の後端部の両側縁から起立させて設け、背凭れ５の下端部と接合可能な左右一対の接合部２３とを有する。
【００２２】
座シェル２２は、図２及び図３（図３は図２の矢印Ａ方向から見た座シェル２２の底面図である）に示すように、合成樹脂からなる一体成型品であり、裏面における前端部近傍に、複数の凹部（第１凹部２２１、第２凹部２２２、第３凹部２２３）を集合させてなる凹部集合領域２２Ａを設けている。本実施形態では、凹部集合領域２２Ａを左右一対に設けている。
【００２３】
凹部集合領域２２Ａには、図３に示すように、座シェル２２と座支持体３との取り付けに供する第１凹部２２１と、第１凹部２２１に連続し且つ座２の前後方向に沿って延びる第２凹部２２２と、第１凹部２２１に連続し且つ座２の左右巾方向に沿って延びる第３凹部２２３とを設けている。本実施形態では、第２凹部２２２を第１凹部２２１の後方に連続して設けるとともに、第３凹部２２３を第１凹部２２１の側方に連続して設けている。
【００２４】
座シェル２２を底面側から見た場合における第１凹部２２１の奥方に、ナットＮを一体的に設けている（図３参照）。第１凹部２２１の底壁を形成する第１底壁部２２１ａには、ナットＮに連通するナット連通孔２２１ｂを厚み方向に貫通させて設けている。このような座シェル２２を有する座２は、本発明の「裏面からアクセス可能なネジ孔を有する座」となり、第１凹部２２１が、本発明の「ネジ孔を有する凹部」となる。本実施形態では第１凹部２２１の第１底壁部２２１ａを略フラットな面に設定している。
【００２５】
なお、本実施形態の座２は、図示しないロッキング可能な椅子にも適用可能なものであり、ロッキングチェアーに適用した場合には、座シェル２２の第２凹部２２２が、座２のロッキング動作（具体的には座の前後方向に沿ったスライド動作）を案内する案内溝として機能するものである。第２凹部２２２の底壁を形成する第２底壁部２２２ａに、その厚み方向に貫通させてなる貫通孔２２２ｂ（図３参照）を形成している。このような第２凹部２２２を有する座シェル２２を、本実施形態に示すロッキング不能な椅子１（座シェル２２を座支持体３に固定した椅子１）に適用した場合には、第２凹部２２２は機能しないものとなるため、後述するキャップ部材６によって被覆されるようにしている。
【００２６】
また、第３凹部２２３は、座シェル２２と座クッション２１との取り付けに供するものである。第３凹部２２３には、後述するキャップ部材６の第３被覆部本体６３１の外縁部が当たり得る当接段部２２３ａ（図３参照）を設けている。
【００２７】
本実施形態では、これら各凹部２２１、２２２、２２３を形成してなる凹部集合領域２２Ａを左右一対にして設け、各第３凹部２２３がそれぞれ第１凹部２２１から座シェル２２の外側縁部に向かって延びるようにしている。
【００２８】
しかして、各凹部集合領域２２Ａに形成した複数の凹部２２１、２２２、２２３を、それぞれ共通のキャップ部材６によって被覆し得るようにしている。なお、キャップ部材６の詳細については後述する。
【００２９】
座２の接合部２３は、下端部を前記座シェル２２の後端部近傍部位に取り付け、上端部を背凭れ５の下端部近傍部位に水平軸周りに回動可能に枢着したものである。
【００３０】
座支持体３は、図１及び図４（図４は座支持体３を一部省略して示す概略図である）に示すように、座２の前端部近傍部位に配される左右一対の起立フレーム３１１を有するフレーム構造体３１と、起立フレーム３１１間に設けられ座シェル２２の裏面に当接する当接フレーム３２とを備えたものである。
【００３１】
フレーム構造体３１は、左右一対の起立フレーム３１１と、各起立フレーム３１１の下端部から後方に向かって延出する左右一対の第１水平フレーム３１２と、各第１水平フレーム３１２の後端部同士を繋ぐ第２水平フレーム３１３とを備えたものである。本実施形態では、これら一対の起立フレーム３１１、一対の第１水平フレーム３１２、及び第２水平フレーム３１３を単一のフレームを用いて構成している。なお、第１水平フレーム３１２の裏面、及び第２水平フレーム３１３の裏面にはそれぞれ床面に接地し得る接地部３３を設けている。
【００３２】
当接フレーム３２は、図２及び図４に示すように、両端部を起立フレーム３１１に溶着により固定したフレーム本体３２１と、フレーム本体３２１の長手方向に沿って所定距離離間させた位置に設けられ座シェル２２の前記第１凹部２２１に収容可能な締結部３２２とを備えたものである。本実施形態では、当接フレーム３２として、左右一対の締結部３２２を備えたものを適用している。各締結部３２２は、概略舌片状をなすスチール製のものである。この締結部３２２は、第１凹部２２１の第１底壁部２２１ａに当接し得る略フラットな締結部本体３２２ａと、一端部をフレーム本体３２１に溶着し、他端部が締結部本体３２２ａに連続する立ち上がり部３２２ｃとを一体に備えたものである。立ち上がり部３２２ｃを有することにより、締結部本体３２２ａがフレーム本体３２１よりも上方に位置付けられる。また、締結部本体３２２ａに、その厚み方向に貫通する貫通孔３２２ｄを形成し、締結部３２２を第１凹部２２１に収容した状態において、この貫通孔３２２ｄと、第１凹部２２１の第１底壁部２２１ａに設けたナット連通孔２２１ｂとが連通するように設定している。
【００３３】
左右の肘掛け４は、図１に示すように、前記起立フレーム３１１の上端から後方に延伸させて設けた肘掛け本体４１と、肘掛け本体４１の外面部を被覆し得るカバー４２とを備えたものである。肘掛け４は、背凭れ５の下端部に設けた肘掛け取付部５１２に後端部を固定している。
【００３４】
背凭れ５は、図１に示すように、弾性変形可能な背フレーム５１と、背フレーム５１の前方に設けられる張地５２とを有する。背フレーム５１の下端部近傍領域に、座２の接合部２３が取付可能な座取付部５１１と、肘掛け４が取付可能な肘掛け取付部５１２とを設けている。本実施形態では、座取付部５１１に接合部２３を枢支させている。
【００３５】
しかして、本実施形態の椅子１は、座シェル２２の前記凹部集合領域２２Ａに形成した各凹部２２１、２２２、２２３を共通のキャップ部材６で被覆するようにしている。
【００３６】
キャップ部材６は、図２及び図５に示すように、第１凹部２２１を被覆し得る第１被覆部６１と、第２凹部２２２を被覆し得る第２被覆部６２と、第３凹部２２３を被覆し得る第３被覆部６３とを備えた合成樹脂からなる一体成型品である。
【００３７】
第１被覆部６１は、第１凹部２２１を露出させ得る窓部６１１と、窓部６１１を開閉し得る開閉部６１２と、窓部６１１の開放領域を囲み得る第１起立壁部６１３とを備えたものである。開閉部６１２は、薄肉のヒンジ部６１４を介して第１起立壁部６１３に設けられ、窓部６１１を開放し得る開放位置（Ｘ）と、窓部６１１を閉止し得る閉止位置（Ｙ）との間で回動可能なものである。この開閉部６１２に、当該開閉部６１２を閉止位置（Ｙ）に係止するための係止爪６１２ａを設けている。係止爪６１２ａは、開閉部６１２の回動自由端側に設けられ、第３被覆部６３の一部と弾性係合可能なものである。また、開閉部６１２に、当該開閉部６１２を閉止位置（Ｙ）に位置付けた際に後述するネジＳとの干渉を回避するための回避部６１２ｂを設けている。
【００３８】
第２被覆部６２は、キャップ部材６を座シェル２２の凹部集合領域２２Ａに取り付けた状態において座シェル２２の凹部集合領域２２Ａ周辺部位と略面一な面を形成し得る第２被覆部本体６２１と、第２被覆部本体６２１の外縁部に設けられ且つ前記第１起立壁部６１３と連続する第２起立壁部６２２とを備えたものである。本実施形態では、第２被覆部本体６２１の裏面に図示しない複数のリブを設けている。
【００３９】
第３被覆部６３は、キャップ部材６を座シェル２２の凹部集合領域２２Ａに取り付けた状態において座シェル２２の凹部集合領域２２Ａ周辺部位と略面一な面を形成し得る第３被覆部本体６３１と、前記第１被覆部６１の開閉部６１２に設けた係止爪６１２ａが係合可能な被係合部６３２とを備えたものである。
【００４０】
また、本実施形態に係るキャップ部材６は、少なくとも一の凹部に引っ掛け可能な引っ掛け爪を設けている。具体的には、第１被覆部６１の第１起立壁部６１３、第２被覆部６２の第２起立壁部６２２、及び第３被覆部６３の第３被覆部本体６３１にそれぞれ第１引っ掛け爪６ａ、第２引っ掛け爪６ｂ、第３引っ掛け爪６ｃを設けている。これら複数の引っ掛け爪６ａ、６ｂ、６ｃのうち、少なくとも一の引っ掛け爪（図示例では第２引っ掛け爪６ｂと第３引っ掛け爪６ｃ）を弾性係合可能なものとしている。
【００４１】
さらに、本実施形態に係るキャップ部材６は、第１起立壁部６１３及び第２起立壁部６２２に、キャップ部材６を座シェル２２の凹部集合領域２２Ａに取り付けた状態において第１凹部２２１の起立壁部、第２凹部２２２の起立壁部にそれぞれ当接又は近接する突起部６ｄを設けている。
【００４２】
次に、このようなキャップ部材６を凹部集合領域２２Ａに取り付ける手順、及び作用について説明し、引き続き、座２と座支持体３とを固定する手順、及び作用について説明する。
【００４３】
先ず、キャップ部材６の引っ掛け爪（第１引っ掛け爪６ａ、第２引っ掛け爪６ｂ、第３引っ掛け爪６ｃ）をそれぞれ各凹部（第１凹部２２１、第２凹部２２２、第３凹部２２３）に形成した被引っ掛け部２２１ｃ、２２２ｃ、２２３ｂ（図３参照）に引っ掛けてキャップ部材６を凹部集合領域２２Ａに取り付ける。この取付状態において第２凹部２２２及び第３凹部２２３がそれぞれ第２被覆部６２及び第３被覆部６３によって被覆される。また、少なくとも第２被覆部本体６２１及び第３被覆部本体６３１が、座シェル２２の裏面のうち凹部集合領域２２Ａの周辺部位と略フラットになる。なお、この取付状態において、第１被覆部６１の第１起立壁部６１３、及び第２被覆部６２の第２起立壁部６２２が、それぞれ第１凹部２２１の起立壁部、第２凹部２２２の起立壁部に前記突起部６ｄを介して当接又は近接するとともに、第３被覆部本体６３１の外縁部が、第３凹部２２３の当接段部２２３ａに当たる。
【００４４】
そして、図２に示すように、開閉部６１２を開放位置（Ｘ）に位置付けることにより、凹部集合領域２２Ａのうち第１凹部２２１が窓部６１１を介して開放される。なお、予め開閉部６１２を開放位置（Ｘ）に位置付けたキャップ部材６を凹部集合領域２２Ａに取り付ける態様、或いは閉止位置（Ｙ）に位置付けた開閉部６１２を凹部集合領域２２Ａに取り付けた後に開閉部６１２を開放位置（Ｘ）に位置付ける態様、何れの態様であっても構わない。なお、本実施形態では、左右一対のキャップ部材６として、左右一対の凹部集合領域２２Ａの形状に対応させて、互いに対称形状をなすものを適用している。
【００４５】
次いで、キャップ部材６を取り付けた座シェル２２の裏面に、座支持体３の当接フレーム３２を当てるようにして取り付ける。この際、当接フレーム３２の各締結部３２２を、それぞれ各凹部集合領域２２Ａのうち窓部６１１を介して開放された第１凹部２２１に収容する。この収容状態において、当接フレーム３２のフレーム本体３２１が、底面視において各凹部集合領域２２Ａの第１凹部２２１と第２凹部２２２とを分断し得る位置、換言すればキャップ部材６の第１被覆部６１と第２被覆部６２とを分断し得る位置に配される。またフレーム本体３２１が、各凹部集合領域２２Ａ間、換言すれば各キャップ部材６間を跨ぐ位置に配される。
【００４６】
当接フレーム３２の各締結部３２２をそれぞれ第１凹部２２１に収容することにより、締結部３２２の締結部本体３２２ａが、第１凹部２２１の第１底壁部２２１ａに当接するとともに、第１底壁部２２１ａに形成したナット連通孔２２１ｂを介してナットＮと締結部本体３２２ａの貫通孔３２２ｄとが相互に連通した状態となる。この状態において、締結部３２２側から貫通孔３２２ｄ、ナット連通孔２２１ｂの順に挿入したネジＳをナットＮに螺合させる。そしてネジＳをナットＮに締め付けることにより、スチール製の締結部本体３２２ａが第１凹部２２１の第１底壁部２２１ａに圧接し、座シェル２２と座支持体３とが強固に固定される（図２参照）。
【００４７】
最後に、図６に示すように、開放位置（Ｘ）にある開閉部６１２を閉止位置（Ｙ）に位置付けることによって、第１凹部２２１、ネジＳ、及び締結部３２２の締結部本体３２２ａを被覆する。この際、開閉部６１２に設けた回避部６１２ｂにより開閉部６１２とネジＳとの干渉を防止している。また、開閉部６１２を開放位置（Ｘ）から閉止位置（Ｙ）に移動させる過程で、開閉部６１２の係止爪６１２ａが第２被覆部本体６２１の縁部に当たるが、さらに開閉部６１２を閉止位置（Ｙ）に向かって押圧することによって係止爪６１２ａが弾性変形しながら第２被覆部本体６２１を乗り越え、当該乗り越えた時点で係止爪６１２ａが第２被覆部本体６２１に設けた被係合部６３２に係合する。
【００４８】
なお、開閉部６１２を閉止位置（Ｙ）に位置付けた状態において、当該開閉部６１２が、フレーム本体３２１と締結部３２２との接合部分（具体的にはフレーム本体３２１と締結部本体３２２ａとの接合部分、すなわち締結部３２２のうち立ち上がり部３２２ｃに相当する部分）に干渉することを回避するために、各キャップ部材６に、窓部６１１に連続して開口する開口部６４を形成している（図５及び図６参照）。当該開口部６４は、開閉部６１２を閉止位置（Ｙ）に位置付けた場合であっても開閉部６１２によって閉止されることなく、常時開放されたものとなる。
【００４９】
このように、本実施形態に係る椅子１は、座２の裏面に集合配置された被覆すべき複数の凹部２２１、２２２、２２３を、キャップ部材６の各被覆部６１、６２、６３によって全て被覆することができるとともに、開放された窓部６１１を介して締結部３２２を第１凹部２２１に収容した状態で、この第１凹部２２１に設けたナットＮに座２の裏面側からアクセス可能な状態となるため、このナットＮにネジＳを螺合させて締結部３２２を第１凹部２２１に締着することによって座２と座支持体３との固定作業を好適に行うことができる。しかも、締着作業後には開閉部６１２によって窓部６１１を閉止することによりネジＳ及び締結部３２２を被覆することができ、良好な外観を呈するものとなる。
【００５０】
特に、キャップ部材６が、複数の被覆部２２１、２２２、２２３を一体に有する樹脂成型品であるため、部品点数の削減、及び取り扱い易さの向上に資するものとなり、ひいては座３の裏面にキャップ部材６を取り付ける作業の簡素化をも図ることができる。
【００５１】
さらに、締結部３２２が金属製のものであるため、締結部３２２が樹脂製であれば生じ得る不具合、すなわちネジＳの締め付け作業によって締結部３２２自体が押し潰されて変形するという不具合を解消し、強固な締着状態を実現できる。
【００５２】
また、開閉部６１２が、ヒンジ部６１４を軸に、窓部６１１を開放する開放位置（Ｘ）と、窓部６１１を閉止し得る閉止位置（Ｙ）との間で回動可能なものであるため、開閉部６１２の開閉動作を直感的に把握でき、開閉部６１２の開閉作業を簡単に行うことができる。
【００５３】
加えて、座支持体３が、座２の裏面に配される金属製のフレーム本体３２１と、フレーム本体３２１に溶着によって接合した締結部３２２とを備えたものであるため、フレーム本体３２１と締結部３２２との取付強度の向上を図ることができ、有効な支持強度を発揮するものとなる。また、フレーム本体３２１と締結部３２２とをビス止めによって取り付ける態様と比較してフレーム本体３２１と締結部３２２との組付作業を容易に行うことができる。
【００５４】
キャップ部材６が、窓部６１１に連続して開口する開口部６４を備えたものであり、フレーム本体３２１と締結部３２２との接合部分、具体的にはフレーム本体３２１と締結部本体３２２ａとの接合部分、すなわち締結部３２２のうち立ち上がり部３２２ｃに相当する部分、を開口部６４に配することによって閉止位置（Ｙ）に位置付けた開閉部６１２が座支持体３の一部と干渉することを回避しているため、開閉部６１２と座支持体３の一部との干渉に起因する開閉部６１２の動作不良の発生を確実に防止することができる。
【００５５】
なお、本発明は、以上に詳述した実施形態に限られるものではない。
【００５６】
例えば、前記実施形態では、座の裏面に、計３つの凹部を集合させて設けた態様を例示したがこれに限らず、２つの凹部を集合させて設けた態様、或いは４以上の凹部を集合させて設けた態様であっても構わない。この場合、キャップ部材は、凹部の数に応じて被覆部の数を適宜増減すればよい。また、集合させて設けた凹部のうち２以上の複数の凹部がそれぞれ締結部を収容し得るものであれば、それら複数の凹部を被覆し得る各被覆部を、各凹部を露出させる窓部と、窓部を開閉し得る開閉部とを用いて構成すればよい。
【００５７】
座支持体が、座の前端部近傍部位及び後端部近傍部位をそれぞれ支持するものである場合、座支持体として、座の前端部近傍部位及び後端部近傍部位にそれぞれ設けた凹部に収容され得る複数の締結部を備えたものを適用すればよい。
【００５８】
また、開閉部を、窓部に対して着脱可能なものとし、窓部に取り付けることによって閉止位置となり、窓部から取り外すことによって開放位置となる態様を採用しても構わない。
【００５９】
さらに、座シェルの凹部に、ナットを設けずにネジ孔を直接形成し、このネジ孔にネジを螺合させる態様であってもよい。
【００６０】
また、締結部とフレーム本体との強固な固定状態を実現すべく、締結部のうちフレーム本体との溶接部位をフレーム本体の外面部に面接触し得る形状にしても構わない。
【００６１】
また、前記実施形態では、一人掛け用の椅子を例示したが、複数人が同時に着座可能ないわゆるベンチタイプの椅子であっても構わない。
【図面の簡単な説明】
【００６２】
【図１】本発明の一実施形態に係る椅子の全体概略図。
【図２】同実施形態における座の底面図であって第１被覆部の開閉部が開放位置にある状態を示す図。
【図３】図２における矢印Ａ方向から見た座シェルを一部省略して示す図。
【図４】同実施形態における座支持体を一部省略して示す図。
【図５】同実施形態におけるキャップ部材の全体概略図。
【図６】同実施形態における座の底面図であって第１被覆部の開閉部が閉止位置にある状態を示す図。
【符号の説明】
【００６３】
１…椅子
２…座
２２１…第１凹部
２２２…第２凹部
２２３…第３凹部
３…座支持体
３２１…フレーム本体
３２２…締結部
６…キャップ部材
６１…第１被覆部
６１１…窓部
６１２…開閉部
６１４…ヒンジ部
６２…第２被覆部
６３…第３被覆部
６４…開口部
Ｓ…ネジ
（Ｘ）…開放位置
（Ｙ）…閉止位置
【図１】
0005347140.tif 000002
【図２】
0005347140.tif 000003
【図３】
0005347140.tif 000004
【図４】
0005347140.tif 000005
【図５】
0005347140.tif 000006
【図６】
0005347140.tif 000007